Podtech/llm-jp-corpus-v4-ja_patent huggingface dataset:
(57)【要約】【課題】本考案は従来、電気・ガス・水道の３業種企業は、被供給者の消費積算使用量の検針の為、それぞれが個別に検針員を派遣して検針記録印刷の作業を行っていたが、本考案の機器を使用する事により、この作業を一人の検針員によって一度で完結出来うるので、本考案の機器によって労働時間と、労働の効率化により、膨大な経済効果を期待するものである。【解決手段】電気・ガス・水道の３業種企業が使用中の、それぞれ特有の３種類３台の単体検針機能を組合わせる事によって、一台の携帯式複合検針データ入出力機器とし、本考案の機器の使用によって一人でほぼ同時に、３人分の３つの消費積算メーターの数値を検針入出力の上、印刷出来るので従来の非効率な作業そのものを大幅に改善する事が出来る。【選択図】図１
0003112058.tif 000002
【実用新案登録請求の範囲】
【請求項１】
電源及び電池等で駆動する、携帯式の複合検針データ入出力機器であって、電気・ガス
・水道の供給を受ける被供給者が、毎月消費した使用量の確定の為に、上記３供給会社の
消費積算メーターの数値を電気・ガス・水道用の３つの切り替えボタンを使用し、３種類
の積算メーターの数値を一挙に入力する事により、消費積算データを随時出力処理する事
の出来る機構を備え、且つデータを保存する事の出来るメモリー機能を備え、用紙
に印字する印刷手段をも備えている事を特徴とする携帯式複合検針データ入出力機器。
【考案の詳細な説明】
【技術分野】
【０００１】
本考案は、一台の検針データ記録入出力機器であり電気・ガス・水道の３種類の消費積
算使用量の記録対象数値を、携帯式にして一人の検針員が同時にそれぞれの検針記録の入
出力作業でそのデータ印刷が可能となる様に、一台の機器に纏めて組込み、従来の検針記
録器の機能を向上させる為、切換えボタンスイッチを設定した機器に関するものである。
【背景技術】
【０００２】
電気・ガス・水道の各３業種企業は、それぞれが被供給者の消費積算使用量の確定検針
の為、個別に検針員に単体検針記録印刷器を持たせ、同じ検針現場に重複して派遣し検針
作業を行っている。
【特許文献１】実開平８−４５９号公報
【考案の開示】
【考案が解決しようとする課題】
【０００３】
電気・ガス・水道の３種類の積算メーターは、日本全国の被供給者の家庭・事務所で殆
ど一ケ所に纏めて設置されている。電気・ガス・水道の３業種企業は被供給者の消費使用
量検針の確定の為に、それぞれが個別に検針員を派遣している。これを一人の検針員が電
気・ガス・水道の積算メーター検針を一挙に行う事の出来る本考案に係る機器の使用によ
り、労働時間の短縮及び労働効率による経済効果を期待するものである。
【課題を解決するための手段】
【０００４】
本考案は、電気・ガス・水道の３業種企業がそれぞれ従来より使用してきた特有の単体
検針記録印刷器の機能を向上させて、３つの機能を一台の携帯式検針器に組み合わせ、ボ
タンスイッチの切換えモードを設定する事により、検針現場に於いては一人の検針員が、
ほぼ同時に入出力作業等、即ち一括検針作業する事を可能にした機器である。
【考案の効果】
【０００５】
本考案の携帯式複合検針データ入出力機器は、従来検針現場に電気・ガス・水道の各企
業が一人ずつ、つまり計３人の検針員がそれぞれの企業より派遣されて個別に検針作業を
行っていたが、本考案の機器を使用する事により一人でほぼ同時に電気・ガス・水道の各
積算メーターの検針入出力作業及び印刷が可能となり、時間の節約と共に労働効率を高め
る事によって、経済効果は極めて絶大である。
【考案を実施するための最良の形態】
【０００６】
携帯式複合検針データ入出力機器の上部に３つの切換えボタンを設置した事による機能
の向上を実現した。
【実施例１】
【０００７】
添付図面に従って実施例を説明する。検針員が一人で本考案器を携帯し、検針現場に於
いて電気の積算メーターを検針する場合には、３つの切換えボタンスイッチの内、電気と
記載されたボタンスイッチをボタン入力し、消費積算数量を入力の上、出力印刷する。ガ
ス及び水道についても上記と同様の手順によりほぼ同時に、入力の上出力印刷をする。
従って、何れかの一企業による派遣検針員を除きその外の２企業については、実質的に同
様の作業をする検針員を同じ場所に派遣する必要が無い。
【産業上の利用可能性】
【０００８】
ボタンスイッチの切換えのみによる作業によって、操作をする検針員にとっては単純な
作業を効率よく行う事が出来、ボタン操作が分かり易い為、若年層から高齢者に於いても
適用する事が可能である。
【図面の簡単な説明】
【０００９】
【図１】本考案の携帯式複合検針データ入出力機器の正面図である。
【図２】本携帯式複合検針データ入出力機器の断面図である。
【符号の説明】
【００１０】
１    データ入出力記録確認窓
２    切換えボタンスイッチ
３    印字記録紙排出口
４    フック取付部
５    記録紙収納箱
【図１】
0003112058.tif 000003
【図２】
0003112058.tif 000004
(57)【要約】      （修正有）【課題】従来の名刺の本体裏面は、活字連記による商品案内では平凡で物足りなく、立体感のある宣伝と趣のある楽しみを与えてくれる一歩進化したユニークな名刺を提供する。【解決手段】名刺の本体裏面には、左右一対の立体写真を掲載する。【選択図】図３
0003112169.tif 000002
【実用新案登録請求の範囲】
【請求項１】
本体裏面に立体写真を掲載する名刺。
【考案の詳細な説明】
【技術分野】
【０００１】    本考案は、一層の販促・宣伝・広告効果を伴なう名刺に関する。
【背景技術】
【０００２】  従来の名刺では、本体オモテ面には氏名、会社、又は所属などの活字表記（図１）をしている。本体ウラ面には、案内地図のイラスト又は、営業品目の案内は、活字連記（図２）をする事で成り立っている。
【考案の開示】
【考案が解決しようとする課題】
【０００３】  この通常の名刺の本体ウラ面に係わる商品案内の活字連記は、平面的で少々物足りない不満のために名刺の改良が課題である。
【課題を解決するための手段】
【０００４】  そこで本考案の名刺は、本体ウラ面上には左右一対で構成される立体写真の表示掲載（図３）が課題の解決手段となる。
【考案の効果】
【０００５】  そうする事で、従来の名刺に比べて、リアルな立体感が味わえて、一層の販促及び宣伝効果の期待に応じる事ができる。
【考案を実施するための最良の形態】
【０００６】  立体視のための特別な道具も必要とせず、立体写真を両目で注視しながら目の直前まで徐々に近づけると簡単に立体視が出来るのである。
【図面の簡単な説明】
【０００７】
【図１】  通常用いられている名刺のオモテ面の例。
【図２】  通常用いられている名刺のウラ面の例。
【図３】  立体写真を掲載している本考案の名刺のウラ面の例。
【符号の説明】
【０００８】  １      左右一対で構成される立体写真。
２      掲載する立体写真の説明文。
【図１】
0003112169.tif 000003
【図２】
0003112169.tif 000004
【図３】
0003112169.tif 000005
(57)【要約】      （修正有）【課題】パターショットにおいて違和感なく打つことができ、ソフトな打感と打音、そしてファッション性を提供する。【解決手段】パターヘッドにおいて、透過性の高いアクリル樹脂・クリスタルガラス１等で形成されており、その内部に打面から半球２、その後方に全球３のゴルフボールの模様を有することを特徴とする。【選択図】図１
0003112167.tif 000002
【実用新案登録請求の範囲】
【請求項１】
パターヘッドにおいて、透過性の高いアクリル樹脂・クリスタルガラス等で形成されており、その内部に打面から半球、その後方に全球のゴルフボールの模様を有することを特徴としたパターヘッド。
【考案の詳細な説明】
【技術分野】
【０００１】  本考案は、パターショットにおいて違和感なく打つことができ、ソフトな打感とファッション性を提供するパターヘッドに関するものである。
【背景技術】
【０００２】  従来のパターは、その素材は金属製であり、まっすぐ打ち出すために、ヘッド部に丸や直線による模様が描かれていた。
【考案の開示】
【考案が解決しようとする課題】
【０００３】  従来のパターは、前述のようであるため、その色は単純な金属色であった。また、真っ直ぐ打ち出すためのガイドライン等に気を取られがちであるという難点があった。
【課題を解決するための手段】
【０００４】  本考案は、パターヘッドのその素材にアクリル樹脂もしくはクリスタルガラスを用いることによって、上記問題点を解決しようとした。
【考案の効果】
【０００５】  本考案の特徴であるアクリル樹脂・クリスタルガラスは、その内部にレーザーによって立体的な模様を描くことが出来る。打面に接して半球、その後方に全球のゴルフボールの模様を立体的に描くことによって、ゴルフパット時のボールに対するイメージが、あたかも連続写真のように映し出され、ゴルファーの意識に自然と刷り込まれるのである。【０００６】  また、打面がアクリル樹脂・クリスタルガラスである為、打感やインパクト音が非常にソフトである。そしてアクリル樹脂・クリスタルガラスである為、透明であることの高級感はもちろん、色を付けることによってさまざまなファッション性・デザイン性を追求することが出来る。
【実施例】
【０００７】  図１に示すように、本考案パターヘッドは、打面におけるスウィートスポット部分と、後方のヘッド部分にアクリル樹脂もしくはガラスによって形成されている。【０００８】  パット時においてアドレスを取ったとき、パターヘッドはボールの後方に置く。そのとき、本考案パターでは、ボールの後方に半球のボール、その後ろに全球のボールが並ぶのであるが、円ではなく球という立体的な模様が入り、透明のパターヘッドの中にあたかも本物のボールが並ぶ様が、ゴルファーの意識に刷り込まれ、打ち出すインパクトの瞬間も違和感無くまっすぐ打ち出すことが出来るのである。
【図面の簡単な説明】
【０００９】
【図１】ａ  本考案パターヘッドの上から見た図である。ｂ  正面より見た図である。ｃ  左側面から見た図である。ｄ  後方より見た図である。
【符号の説明】
【００１０】  １  アクリル等の透明部分
２  半球ボール模様
３  全球ボール模様
４  金属部分
５  シャフト
【図１】
0003112167.tif 000003
(57)【要約】      （修正有）【課題】ケーキを食べる際に、ケーキをくるんでいるフイルムの合わせ目が分かりにくく、指ではがすと指先にクリームが付いたりして汚れる。また、はがしたフイルムにはクリームがついていたりしてケーキ皿の端に置く時など始末に悪い。これらの不都合を解決するケーキ包装用フィルムを提供する。【解決手段】フイルムの端に袋状のフォークの先を入れる部分を作り、フォークをくるくると動かし、フイルムをコンパクトに丸めるなり折りたたむなりする。【選択図】図２
0003112163.tif 000002
【実用新案登録請求の範囲】
【請求項１】
ケーキ包装フイルムの端を折り曲げ接着し袋状にした部分を設け、そこにフォークの先端を入れて、くるくるとフイルムを巻きとるようにしたことを特徴とする、ケーキ包装用フイルム。
【考案の詳細な説明】
【技術分野】
【０００１】  本考案は、ケーキ個別包装フイルムに関するものであり、現在使用されているものに工夫を加え、ケーキのまわりの包装フイルムをはがしやすく始末しやすくしたものである。
【背景技術】
【０００２】  現状のものは、一枚のフイルムでケーキの周りを囲っているだけの物が利用されている。
【考案の開示】
【考案が解決しようとする課題】
【０００３】  現状のような一枚のフイルムでケーキの周りを囲った場合、合わせ目がどこなのか分からず、フォークの先でつついたりしているうちにケーキの形が崩れたり、また手ではがす場合は指先が汚れ、はがしたフイルムにはクリームがついていて置き場所に困る等の欠点がある。これらの不都合を解決することを課題とする。
【課題を解決するための手段】
【０００４】  この課題を解決するため請求項１の考案はフイルムの端を折り曲げ一部接着し袋状の部分を作り、ここにフォークの端を差し込んでくるくるとフイルムを巻き取るように工夫したものである。接着は熱接着、シール、のり等による接着どちらでもかまわない。
【考案の効果】
【０００５】  本考案により、ケーキの周りを包んでいるフイルムがはがしにくい、手が汚れる、ケーキが崩れるなどの不都合がなく、はがしたフイルムをおくところがないなどということがなく、スマートにケーキを食べることができる。
【考案を実施するための最良の形態】
【０００６】  図１はフイルムの端を折り曲げ、フォークの先が入るように袋状にしたことを特徴とする。
実際にケーキに使用した場合は、図２のようになる。  これらの材料は現在使用されているフイルムと同素材でよい。フイルムの形状は図では長方形であるが、フイルム素材であるためケーキの形に合わせそれぞれ容易に作ることができる。
【図面の簡単な説明】
【０００７】
【図１】  フイルムの端を折り曲げ一部接着し、袋状の部分を作り、ここにフォークの先端を差込みフイルムを巻き取ることができるようになっている部分を設けたフイルムの平面図である。
【図２】  図１のフイルムでケーキを包装し使用する場合、フィルムの袋状の部分にフォークのはしを差し込み巻き取るというやり方を図に表した。
【符号の説明】
【０００８】  １    フイルム
２    袋状部分
３    袋状部分の接着面
４    ケーキ
５    フォーク
【図１】
0003112163.tif 000003
【図２】
0003112163.tif 000004
(57)【要約】      （修正有）【課題】近日、学校等への不審者の侵入による被害が社会問題化しており，防護用具として、刺股の導入が検討されているが、相手方への危害も大きく、又使用に際し、女性では重さ長さ等から容易ではない。この事に着目し、軽快に使用出来、しかも侵入者への過度の危害を与えないようにする。【解決手段】女性が最も握りやすく、力が入りやすい直径（２６ｍｍ〜３５ｍｍ）としまた振り回しやすい長さ（９００ｍｍ〜１２９０ｍｍの範囲）とし、先端は２又では無く、棒状で丸みをつけた護身用つえ。【選択図】図１
0003112161.tif 000002
【実用新案登録請求の範囲】
【請求項１】
樫木等の硬質木材にて制作され、且つ直径２６ｍｍ〜３５ｍｍ、長さ９００ｍｍ〜１２９０ｍｍで、而も先端に丸みを持たせたことを特徴とした護身用つえ。
【考案の詳細な説明】
【技術分野】  本考案は、護身用、警棒あるいは杖等に用いる棒である。
【背景技術】  一般的に使用されている護身用つえの形状は、両サイドが直角に切断されており、また直径も２５ｍｍ以下と一般人には細く、力が入りにくくなっております。また設置施設も警察関連や特定の警備関連会社などのみである。
現状学校関連施設等には、刺股（サスマタ）が多く取り入れられているが、この刺股は、相手側に２点（二又）の支点があり、当人が一点の支点と成る為、力学的にも、相手が２点の為有利になり、掴まれた時点で奪われまる。
【考案の開示】
【考案が解決しようとする課題】学校等に常設する最適の護身つえを提供する。
【課題を解決しようとする為の手段】
女性が最も握りやすく、力がはいりやすい直径（２６ｍｍ〜３５ｍｍ）とし、また振り回しやすい長さ（９００ｍｍ〜１２９０ｍｍの範囲）とする。先端は二又では無く、棒状で丸みをつける。
【考案の効果】
本考案護身つえは、武道の心得が無い女性でも、軽快に振り回すことが出来、相手に対し隙を与えない為、相手が近づきにくい。特に１０００ｍｍタイプは、学校関連の教壇などに配置出来、又１２００ｍｍタイプにおいても、廊下などに配置出来るため、常に警護の心構えができる。又価格面においても、安価に設定出来、学校関連施設のみならず、一般の事業所並び金融機関等にも、幅広く犯罪者からの最低限防御になる。
【考案を実施する為の最良の形態】
以下本考案の実施例の図面に基づいて説明する。
図１は正面図で、樫木等の硬質材にて作られており、護身つえ本体１は丸棒で、９００ｍｍから１２９０ｍｍの任意の長さを設定している。
【図面の簡単な説明】
【図１】  本考案の一実施例の正面図である。
【符号の説明】
１  樫木の棒
【図１】
0003112161.tif 000003
(57)【要約】      （修正有）【課題】生徒個々人の個性を活かし、生徒がさらに実習に興味や楽しさを持てるような通常パンツ教材を提供する。【解決手段】生徒が一人一人、自分の考えでパンツをアレンジできるようにスパンコールやビーズ（付属品）をまとめて添付し、生徒個々人が好みに合わせて、スパンコールやビーズを取捨選択しアレンジする事ができる。【選択図】図２
0003112165.tif 000002
【実用新案登録請求の範囲】
【請求項１】
学校の家庭科で被服製作の実習をする際の教材である「パンツ」に付属品の中からスパンコールやビーズを組み合わせることのできる教材
【考案の詳細な説明】
【考案の詳細な説明】
【技術分野】
【０００１】学校の家庭科で被服製作の実習をする際に使用する教材に関する技術分野
【背景技術】
【０００２】通常パンツ教材を製作する時は、「縫い」と「裁断」の技術を学ぶ事が主な目的である為、生徒個々人が個性を出す事は難しかった。
【考案が解決しようとする課題】
【０００３】したがって、本考案はこうした生徒個々人の個性を活かし、生徒がさらに実習に興味や楽しさを持てるようにした。
【課題を解決する手段】
【０００４】そこで、本考案は生徒が一人一人、自分の考えでパンツをアレンジできるようにスパンコールやビーズ（付属品）をまとめて添付し、生徒個々人が好みに合わせて、スパンコールやビーズを取捨選択しアレンジする事ができる。
【考案を実施するための最良の形態】
【０００５】本案は、以上のような考え方のもと、生徒がパンツ教材を実習する際に、生徒一人一人が好みに合わせて、スパンコールやビーズを使用してパンツをアレンジできる実習教材である。
【考案の効果】
【０００６】この考案により、従来単調であったパンツ製作実習が、生徒一人一人が自分の好みやイメージ合ったパンツにアレンジする事ができる。したがって、生徒の興味や楽しさがこの教材を使う事でさらに増大する。
【図面の簡単な説明】
【図１】従来のパンツの完成図
【図２】本考案のパンツの完成図
【図１】
0003112165.tif 000003
【図２】
0003112165.tif 000004
(57)【要約】      （修正有）【課題】靴等で雪又は氷の上を歩く時に滑って転倒するのを防止する滑り止め用具の提供。【解決手段】チエーンループ１はチエーン２，３から成る先部の滑り止めで、特にチエーン２，３の連結はツマ先の滑り止めに効くものである。そして、チエーンループ４はカカトの滑りを防止する。又コイルスプリング５，６でチェーンループ１，４を引き締め全体をずれない様固定する。【選択図】図１
0003112170.tif 000002
【実用新案登録請求の範囲】
【請求項１】
環状チエーン１とチエーン２．３を連結し．チエーン４とコイルスプリング５．６と組み合わせて靴に装着した．靴等の雪又は氷上の滑り止め用具。
【請求項２】
チエーン２．３を連結．更にその両端をチエーン１の内側に連結して請求項１記載の靴等．雪又は氷上の滑り止め用具。
【請求項３】
コイルスプリング５．６をチエーン１．４に連結して請求項１記載の靴等．雪又は氷上の滑り止め用具。
【考案の詳細な説明】
【技術分野】
【０００１】    本考案は１．２．３．４とコイルスプリング５．６の組合わせでこれを靴に装着すれば雪又は氷上を滑ることなく歩ける．靴等の雪又は氷上の滑り止め用具に関するものである。
【背景技術】
【０００２】    従来の滑り用具はツマ先部分に滑り止め機能が無く．歩行で蹴ったときすべる．また靴に装着する部分がゴム系のものであり歩くたびにチエーンがずれて外れやすい．よってカカトも着地時に滑りやすくなる。
【考案の開示】
【考案が解決しようとする課題】
【０００３】    既製の滑り止め用具は靴先の中央部だけ滑り止めになっているがツマ先部分はない．また用具を靴にのがゴム系のためにしっかり固定出来ない．そのためカカトのチエーン歩くたびにずれ易い．よってツマ先と固定方法．さらにカカトに問題がある。
【課題を解決するための手段】
【０００４】    本考案は先のループチエーンに２本のチエーンを先端方向に連結して先端部もれんけつする事によってツマ先をカバーする．又チエーンとコイルスプリングの連結でしっかり固定出来る。であるからゴム系は一切使用しない。
【考案の効果】
【０００５】    本考案は靴等で雪又は氷の上を歩く時に滑って転倒するのを防止するために靴等に装着する用具です。
この用具はチエーンとコイルスプリングを材料とした物で．小さくて軽くチャック付きビニール袋に入れて手軽に携帯出来る便利な用具です。
【考案を実施するための最良の形態】
【０００６】    本用具は図２の様に先のループとカカトのループをコイルスプリングで連結すると一連の用具となる。
これを図３の様に靴の先に載せワンタッチで図４の様にカカトに引掛ければ装着完了です。
【実施例】
【０００７】    １チエーンループの内側に２．３チエーンを連結し尚且つ２．３の先端部を連結する．そして５．６コイルスプリングを１に連結し．更に５．６を４チエーンループに連結すれば靴等の雪又は氷上の滑り止め用具は出来あがりです。
【図面の簡単な説明】
【０００８】
【図１】本考案の斜視図
【図２】本考案の各部の連結図
【図３】本考案のツマ先拡大斜視図
【図４】本考案のカカト拡大斜視図
【符号の説明】
【０００９】  １  チエーンループ（大）
２  チエーン
３  チエーン
４  チエーンループ（小）
５  コイルスプリング
６  コイルスプリング
【図１】
0003112170.tif 000003
【図２】
0003112170.tif 000004
【図３】
0003112170.tif 000005
【図４】
0003112170.tif 000006
(57)【要約】      （修正有）【課題】廃棄時の分別作業を必要とせず、かつ封入が楽な使い勝手の良い、軽量の紙製緩衝封筒を提供する。【解決手段】ベロ２を有する紙製封筒１の内面に、段山に対して直角と、更に斜めになる罫線５を施し、かつ段山を内向きに半折用罫線１０にて半折した片面段ボールシート４を両端部分９において段山を押し潰し、封筒開口縁７、８と接着させる事により、廃棄時の分別作業を必要とせず、かつ封入が楽な使い勝手の良い紙製緩衝封筒が提供できる。【選択図】図２
0003112164.tif 000002
【実用新案登録請求の範囲】
【請求項１】
ベロ２を有する紙製封筒１の内面に、片面段ボールシート４を、段山を内向きに半折用罫線１０にて半折してその両端９を封筒開口縁（７、８）と接着させた事を特徴とする紙製緩衝封筒。
【請求項２】
緩衝材である片面段ボールシート４の両端９の段山部分を押し潰し、しかも段山に対して直角と、更に斜めになる罫線５を施した請求項１の紙製緩衝封筒。
【考案の詳細な説明】
【考案の詳細な説明】
【技術分野】
【０００１】本考案は、紙製封筒の内部に緩衝材を有する緩衝封筒において、使用後の廃棄に当り、リサイクルを企てる場合はもちろんの事、焼却処理をする場合も、分別作業を必要としない、片面段ボールシートを有する緩衝封筒に関する。
【背景技術】
【０００２】緩衝封筒には、様々な構造のものが考案され実用化されている。例えば緩衝材にプラスチック気泡シートを使用したものは、廃棄時に分別する事が要求される。しかも、実際の分別作業を行うのは末端ユーザーであって、それに対する製造者の責任を如何に問うかが大きな社会問題になっている。
【考案の開示】
【考案が解決しようとする課題】
【０００３】本考案の目的は、廃棄時の分別作業を必要とせず、かつ封入が楽な使い勝手のよい、軽量の紙製緩衝封筒を提供することである。
【課題を解決するための手段】
【０００４】上記の目的を達成する本考案の分別廃棄が不要な軽量の紙製緩衝封筒は、図１及び図２及び図３及び図４にその構造を示すように、ベロ２を有する紙製封筒１の内面に、段山に対して直角と、更に斜めになる罫線５を施し、かつ段山を内向に半折用罫線１０にて半折した片面段ボールシート４の両端を部分９のように段山を押し潰し、封筒開口縁（７、８）と接着させてあることを特徴とする。ここで言う罫線とは業界の俗称であって、溝を指すものである。
【考案の効果】
【０００５】本考案により次のような効果が生まれる。
（１）片面段ボールシートと紙製封筒のみで構成されている為、廃棄時の分別が不要であり、しかも軽量化が計れた。
（２）封筒開口縁（７、８）と片面段ボールシート４の両端が接着されているので、片面段ボールシート縁に封入物が引っかかりにくく、梱包、封入作業が楽で使い勝手が良い。
（３）片面段ボールシート４の両端を部分９のように段山を押し潰したので、片面段ボールシート縁に封入物がひっかかりにくく、梱包、封入作業が楽で使い勝手がよい。
（４）片面段ボールシート４の段山に対して直角と、更に斜めになる罫線５を施したので、封筒内面に柔軟性が生まれ、封入物にフィットしやすい。
【考案を実施するための最良の形態】
【０００６】上記の目的を達成する本考案の分別廃棄が不要な軽量の紙製緩衝封筒は、図１及び図２及び図３及び図４にその構造を示すように、ベロ２を有する紙製封筒１の内面に、段山に対して直角と、更に斜めになる罫線５を施し、かつ段山を内向きに半折用罫線１０にて半折した片面段ボールシート４の両端を部分９のように段山を押し潰し、封筒開口縁（７、８）と接着させる。又製造効率を高める為に、図４に示すように、片面段ボールシート４の展開状態で、半折用罫線１０及び、段山に対して直角と、更に斜めになる罫線５及び、部分９の段山の押し潰し及び接着剤塗布のすべてを同時加工すれば良い。又、封緘作業を簡便にする為にはベロ２に両面テープ又は粘着剤３を貼付した封筒を使用すれば、なお好ましい。更に紙製封筒原紙を再生古紙７０％以上を使用することにより、片面段ボールシートの使用と相まって、省資源等、環境保護に寄与し、社会貢献ができる。
【図面の簡単な説明】
【図１】本考案の斜視図である。
【図２】封筒側面の断面図である。
【図３】封筒底面の断面図である。
【図４】片面段ボールシートの展開斜視図である。
【符号の説明】
１    紙製封筒
２    紙製封筒のベロ部
３    両面テープ（粘着剤）
４    片面段ボールシート
５    罫線
６    接着剤
７    封筒表面開口縁
８    封筒裏面開口縁
９    段山押し潰し部分
１０  半折用罫線
【図１】
0003112164.tif 000003
【図２】
0003112164.tif 000004
【図３】
0003112164.tif 000005
【図４】
0003112164.tif 000006
(57)【要約】      （修正有）【課題】スクーター型自動二輪車において、走行時に同乗者が体を安定させ、而も同乗者が乗降する時や走行時の妨げにならず容易に取付けができる同乗者の着座装置を提供する。【解決手段】この種二輪車において、同乗者用のリヤグリップ１を同乗者が着座した状態にて前方中央部分の位置に設置し、而もリヤグリップを車幅よりも突出しない横幅に設定し、なお別途取付用の金具を使わずして既存の取付杆を利用し取付けることができる同乗者の着座装置。【選択図】図２
0003112162.tif 000002
【実用新案登録請求の範囲】
【請求項１】
スクーター型自動二輪車における同乗者の着座シート部の前方中央部であって、而も車幅より突出しない横幅のリヤグリップを固定したことを特徴としたスクーター型自動二輪車における同乗者の着座装置。
【請求項２】
リヤグリップは、運転者の背もたれ部の取付用として突出した２本の取付杆にて固定することを特徴とした請求項１記載のスクーター型自動二輪車における同乗者の着座装置。
【請求項３】
リヤグリップは、左右２枚板の支持ブラケットとし、各々の先端には取付杆の挿入孔を設け、運転者の背もたれ部形状に合わせ、而も上反りに折り曲げ、更に後端にはグリップを橋渡して装着したことを特徴とした請求項１〜２記載のスクーター型自動二輪車における同乗者の着座装置。
【考案の詳細な説明】
【技術分野】
【０００１】本考案は、スクーター型自動二輪車に同乗者が乗降する時、又は走行時の妨げにならず体を支える同乗者の着座装置に関する。
【背景技術】
【０００２】この種二輪車では、同乗者が握り持って体を支えるためのリヤグリップの位置が、同乗者の着座した状態にてサイド又は後側の位置に設けている。又はリヤグリップの横幅がこの種二輪車の車幅より突出しているものが、例えば実開昭６１−１７１６７８号として存在する。この従来例では、同乗者用のリヤグリップが車幅より突出しており、同乗者が乗降する時や走行時の妨げになり、リヤグリップを取付けるための別途ボルトや金具が必要なので取付作業性などに問題点がある。
【考案の開示】
【考案が解決しようとする課題】
【０００３】この種二輪車において、同乗者が子供から年輩の方まで選択を問わず体を安定させ、同乗者が乗降する時、又は走行時の妨げにならないこと。また、リヤグリップの取付け取外し作業が容易にできること。
【課題を解決するための手段】
【０００４】この種二輪車において、同乗者用のリヤグリップを同乗者が着座した状態にて前方中央部分の位置に設置する。而もこの種二輪車の車幅Ｘよりリヤグリップの横幅が突出しない大きさに設定する。また、運転者の背もたれ所謂バックレストの取付杆を利用してリヤグリップを取付けることができる容易な作業性の構造にした同乗者の着座装置。
【考案の効果】
【０００６】この種二輪車において、運転者及び同乗者が乗降する時、又は走行時の妨げにならず、体を安定させた状態を維持できる。【０００７】リヤグリップ１の取付けのさいに別途ボルトや金具がいらず既存のバックレスト４用取付杆４ａを利用するので取付作業が容易にできる。【０００８】支持ブラケットの板厚を最小限に抑えることで外観的に損なうこともない。
【考案を実施するための最良の形態】
【０００９】以下本考案の実施の形態を示す図面に基づき説明する。リヤグリップ１は長方形の板を折り曲げた物所謂支持ブラケット２を左右２枚と同乗車が握り持つグリップ３を勘合させネジ７などで結合し作られている。【００１０】支持ブラケット２は、先端部分にリヤグリップ１を運転者用の背もたれ所謂バックレスト４に装着するための孔２ａを設け、バックレストの形状に合わせるように折り曲げ、後端にグリップを橋渡して勘合させ固定する孔２ｂを設けている。【００１１】同乗者がこの種二輪車の後部座席５に着座しリヤグリップ１を握り持った状態にて進行方向に対して前後方向の負荷がリヤグリップの局部２ｃに集中するので左右の２枚の板を折り曲げる時に上反り２ｅに折り曲げることにより局部２ｃに集中する負荷を分散させる構造である。【００１２】この種二輪車のバックレスト４を取外しバックレスト４の裏側より突出した２本のパイプ取付扞４ａにリヤグリップ１の孔２ａより通し図６に示すとおり勘合させ、その状態でバックレスト４を元通りに戻す作業にて取付完了（図１参照）。【００１３】この種二輪車に、リヤグリップ１の取付け取外し作業が容易にでき、而もリヤグリップ１の取付ける位置を、同乗者が乗降する時や走行時の妨げにならず体を安定させる事が出来る、同乗者の前方中央部分６に設置する。
【図面の簡単な説明】
【図１】スクーター型自動二輪車にリヤグリップを設置した外観側面図
【図２】スクーター型自動二輪車にリヤグリップを設置した外観平面図
【図３】支持ブラケットの側面図
【図４】支持ブラケットの平面図
【図５】リヤグリップの分解図
【図６】バックレストとリヤグリップの勘合図
【符号の説明】
１リヤグリップ
２支持ブラケット
３グリップ
４バックレスト（運転者の背もたれ）
５同乗者の着座部
６同乗者が着座した状態にて前方中央部
７ネジ
【図１】
0003112162.tif 000003
【図２】
0003112162.tif 000004
【図３】
0003112162.tif 000005
【図４】
0003112162.tif 000006
【図５】
0003112162.tif 000007
【図６】
0003112162.tif 000008
(57)【要約】      （修正有）【課題】ツボに対して圧迫及び薬錠による給薬の効果を具有するがいよう外用錠を提供する。【解決手段】ツボを押しながら針灸作用のある外用錠で、錠盤と盤面と一体の突起部により構成され、突起部をもってツボを圧迫し針灸の効果をなし、該外用錠は薬を含まない物理的な作用錠にも、ツボを圧迫し薬を吸収させる薬錠の形態にもなる。【選択図】図１
0003112149.tif 000002
【実用新案登録請求の範囲】
【請求項１】
ツボに対して圧迫を加えることによって針灸の作用をする外用錠であって、
該外用錠は錠盤と盤面と一体の円錐型の突起部により構成し、突起部はツボに対して押えつけることができ、
錠盤は貼り付けることができることを特徴とする外用錠。
【請求項２】
前記外用錠は、薬錠型態として使用でき、該錠薬は薬用の植物を鍛錬し錠型に形成し、皮膚を傷つけない適度な柔軟さに配合して成型され、しかも水溶性や温度溶解性などの性質を持っており、ツボを圧迫しながらの給薬効果を有することを特徴とする請求項1に記載の外用錠。
【考案の詳細な説明】
【技術分野】
【０００１】
本考案はツボに対する針灸の作用に係わるもので、特に外用錠をもってツボを圧迫し針灸の作用や針灸の電気治療作用に関わる。
【背景技術】
【０００２】
従来消費者自ら使用できる皮膚を経由して浸透吸収させる外用薬は、塗り薬にしても貼り薬にしてもどちらもクリーム状のもので、皮膚表面の吸収作用しかできず、つぼを押えながらの給薬効果に至らない。最近の電子の針灸噐はチップ型が多く、自らツボ近くの皮膚に貼り付けて使用するが、電子針灸噐は微量の電流を流す物理的作用しかなく、薬を吸収させる効果はない。電子針灸気はツボ治療の効果があるが薬を与える能力がない上、皮膚に平面状の物を貼り付けるため、ツボに対して圧迫を与えない状態で長距離の電流物理作用を行うので、電子針灸の効果を減損するものとなる。
【考案の開示】
【考案が解決しようとする課題】
【０００３】
従来消費者自ら使用できる皮膚に浸透吸収させる外用薬は、塗布剤にしても貼付剤にしてもどちらもクリーム状のもので、皮膚表面の吸収作用しかできず、つぼを押えながらの給薬効果に至らない。最近の電子の針灸器はチップ型が多く、自ら皮膚に貼り付けて使用するが、電子針灸器は微量の電流を流す物理的作用しかなく、薬を吸収させる効果はない。電子針灸器はツボ治療の効果はあるが薬を与える能力がない上、皮膚に平面状の物を貼り付けるため、ツボに対して圧迫を与えない状態で長距離の電流物理作用を行うので、電子針灸の効果を減損するものとなる。
【課題を解決するための手段】
【０００４】
上記欠点を解決するため、本考案の外用錠を提供する。該外用錠は、錠盤と盤面と一体の突起部により構成され、突起部をもってツボを圧迫し、錠盤は貼り付け作用があり、外用錠がツボに対して固定され、及び圧迫しながら針灸治療や同時に給薬の針灸ができるように考案されている。
該外用錠は物理治療用だけ実施する物理作用錠にも、同時に薬を入れる効果がある薬錠形態にもでき、物理作用錠は皮膚を傷つけない適当な柔軟さの材質で導電性を形成し、薬錠形態は薬用の植物を鍛錬し錠型に形成し、水溶性や温度溶解性などの性質を持ち、皮膚を傷つけない適度の硬さに配合して成型され、ツボを押えながら薬を吸収させる効果を具有する。
【考案の効果】
【０００５】
ツボに対して圧迫及び薬錠による給薬の効果を具有し、更に突起部を具有する外用錠形態を呈し、本考案は物理作用や薬錠の作用があり、薬錠はツボへの給薬効果を有する。
【考案を実施するための最良の形態】
【０００６】
図１，２，３，４に示すように、本考案の外用錠１は錠盤１１と盤面と一体の突起部１２により構成され、突起部１２はツボ５の皮膚で圧迫され減り込みが形成される（図５参照）。ツボ５でツボを押さえる針灸作用効果を具有し、本考案には物理作用錠と薬錠の実施形態があり、物理作用錠は電流の物理的針灸作用しかなく、薬錠形態は一歩進んだ針灸の過程中での給薬効果を具有する。
物理作用錠は皮膚を傷つけない適当な柔軟さの材質で導電性を形成し、電子針灸器（導電シップなど）と併せて使用することができ、突起部１２がツボを圧迫しながら電気療法ができる。
【０００７】
薬錠型態は主には各種類の薬用植物を組み合わせ、鍛錬して錠型に形成し、それぞれ違った処方でそれぞれのツボに合わせて使用できるので、ツボの薬に対する需要に合わせられ、薬用植物は処方に合わせて粉末状に鍛錬し、薬錠製作機によって錠型に製作され、この薬錠を製作する型が錠盤と突起部によって形成されるため、薬錠形態の本考案の外用錠１は錠盤１１と突起部１２の一体の薬錠となる（図４参照）。この薬錠型態は主にツボに対する外用錠であるため、皮膚を傷つけない適度な柔軟度の配合で成型され、同時に水溶性と温度溶解の性質を持ち、針灸でツボを圧迫しながら薬錠溶解の給薬作用が起きる。
【０００８】
図５、６に示すように、主に突起部１２がツボ５に対して圧迫し給薬の効果を有し、錠盤１１は貼り付けの作用をし、テープ３（テープまたは導電テープ等）を利用して貼り付け、薬錠型態の外用錠１をツボ５に対して定位し針灸の作用を起こす。皮膚は温度や汗水を発生するため、突起部１２が水溶、体温下でだんだん溶解し（図６参照）、針灸がツボ５に対して圧迫すると同時に給薬の効果を起こす。又、本考案の薬錠型態は導電性の材料で作成することができ、導電テープ３と合わせてツボ５を圧迫しながら、針灸の電気治療を行えて、電気針灸治療を施しながらゆっくりと薬錠の溶解をもってつぼへ給薬作用をする、明らかに、本考案は突起部１２の外用薬の形態がある上に、ツボを押しながら針灸および給薬の効果を持ち、ツボに対して給薬作用のある外用薬効果は、製造メーカーは違う処方でちがうつぼに対して針灸を施すことができる、保健にしても予防医療にしても、斬新な商品市場と消費者の選択である。
【図面の簡単な説明】
【０００９】
【図１】本考案の立体図である。
【図２】本考案の平面図である。
【図３】本考案の俯瞰図である。
【図４】本考案の断面図である。
【図５】本考案の実施例図である。
【図６】本考案における図５が溶解する実施例図である。
【符号の説明】
【００１０】
１  外用錠
１１  錠盤
１２  突起部
５    つぼ
３    テープ
【図１】
0003112149.tif 000003
【図２】
0003112149.tif 000004
【図３】
0003112149.tif 000005
【図４】
0003112149.tif 000006
【図５】
0003112149.tif 000007
【図６】
0003112149.tif 000008
(57)【要約】      （修正有）【課題】複数種の樹脂製を保管しておくことができ、必要時には１枚宛確実に取出すことのできる、樹脂製袋の保管装置を提供する。【解決手段】厚紙シートで構成した縦長立方体形状の紙箱Ａの四方の各側壁構成部片１に、該側壁構成部片１に接続した蓋部片２で開閉する取出口３を設ける。また、各取出口３に対応する収容室４を、前記紙箱Ａ内に区画枠５を嵌挿して形成する。また、各収納室４には、互いに重ね合わせて芯板９を介して二つ折りにした両端をさらに折り返した、多数の樹脂製袋８，…を収納し、該樹脂製袋８，…の前記二つ折りの片面を前記取出口３に臨ませる。【選択図】図１
0003112150.tif 000002
【実用新案登録請求の範囲】
【請求項１】
厚紙シートで構成した縦長立方体形状の紙箱の四方の各側壁構成部片に、該側壁構成部片に接続した蓋部片で開閉する取出口を設け、各取出口に対応する収容室を、前記紙箱内に区画枠を嵌挿して形成すると共に、各収納室には、互いに重ね合わせて芯板を介して二つ折りにした両端をさらに折り返した、多数の樹脂製袋を収納し、該樹脂製袋の前記二つ折りの片面を前記取出口に臨ませた、多目的樹脂製袋の保管装置。
【考案の詳細な説明】
【技術分野】
【０００１】
本考案は、野菜屑を収容したり、物品を収納して携帯するために用いる等種々の目的のために用いる多目的樹脂製袋の保管装置に関するものである。
【背景技術】
【０００２】
同種の樹脂製袋に多数枚を重ね合わせた状態で収容して保管しているのが一般である。
【考案の開示】
【考案が解決しようとする課題】
【０００３】
従来は、袋内に多数枚を重ね合わせて収容しているので、樹脂製袋の大、小等種類が異なるごとに別体の袋を用意する必要があり、また、保管袋内に単に重ねて収容しているだけであるので、取り出し作業が煩雑である。
【０００４】
本考案は、斯様な従来例の欠点に着目して案出したものである。
【課題を解決するための手段】
【０００５】
厚紙シートで構成した縦長立方体形状の紙箱の四方の各側壁構成部片に、該側壁構成部片に接続した蓋部片で開閉する取出口を設け、各取出口に対応する収容室を、前記紙箱内に区画枠を嵌挿して形成すると共に、各収納室には、互いに重ね合わせて芯板を介して二つ折りにした両端をさらに折り返した、多数の樹脂製袋を収納し、該樹脂製袋の前記二つ折りの片面を前記取出口に臨ませた構成としたものである。
【考案の効果】
【０００６】
本考案によれば、立方体形状の紙箱が４部屋の収容室に区画されるから、複数種の樹脂製袋を収容、保管しておくことができ、複数種の中から適宜必要に応じた樹脂製袋を簡単に選択して用いることができ、また、紙箱からの取出しに際しても、取出口に単一な樹脂製袋しか臨んでいないから、１枚宛確実に取り出すことができ、実用的である。
【実施例】
【０００７】
図面は、本考案に係る多目的樹脂製の保管装置の一実施例を示し、図１は斜視図、図２は横断面図、図３は区画枠の分解斜視図、図４は紙箱の展開図である。
【０００８】
図中、Ａは本考案に係る紙箱で、紙箱Ａは、厚紙シートＡ´を組立てて構成した縦長立方形状体で成り、四方（周）の各側壁構成部片１，１，１，１に、該側壁構成部片１に接続した蓋部片２で開閉する取出口３を設け、区画枠５を嵌挿して各取出口３に対応する収容室４を形成したものである。
【０００９】
区画枠５は、一対の縦長の厚紙製のシート片５ａ，５ａをスリット６，６において互いに係合して構成した平面視十字形の枠体で成り、前記シート片５ａの側端を紙箱Ａの内側隅部に配するようにして紙箱Ａ内に嵌挿されて断面三角状の前記収容室４を構成するものである。
【００１０】
収容室４には、多数の樹脂製（概し、ポリ袋）袋８，…を収容し、樹脂製袋８，…は、互いに重ね合せて厚紙製の芯板９を介して二つ折りにした両端をさらに同方向に折り返して積層状と成して収容室４内に収納し、前記二つ折りの片面（外面）８Ａ側を前記取出口３に該取出口３を閉塞するように臨ませたものである。
【００１１】
しかして、不使用時には蓋部片２で取出口３を閉塞しておき、使用時には取出口３を開放して指先で所望の収納室４内の樹脂製袋８を摘んで引きずることによって当該収容室４内の樹脂製袋８は１枚宛確実に取り出されるのである。
【００１２】
各収容室４に互いに別種（大きさ、形状或いは意匠的に）の樹脂製袋を納めておくことにより、少くも４種の樹脂製袋を保管し、又、選択的に自由に取り出すことができる。
【００１３】
なお、前記厚紙シートＡ´は、順次互いに連設した側壁構成部片１，１，１，１を折目ａを山方向に折曲して、連設方向の一端側の側壁構成部片１（図４で便宜上、符号１Ａで示す）に連設したのり代片１１を、他の一端側の側壁構成部片１（同様に符号１Ｂで示す）に糊着して方形筒状体と成し、他の一端側の側壁構成部片１Ｂの長手（上下）方向両端に連設した舌部片１２，１２と、前記一端側の側壁部片１Ａに隣接する、一方の中間の側壁構成部片１（同様に符号１Ｃで示す）の長手（上下）方向両端に連設した舌部片１３，１３を、折目ａ´において山方向に折曲し、一方の中間の側壁構成部片１Ｃに隣接する他の一方の中間の側壁構成部片１（同様に符号１Ｄで示す）の長手（上下）方向両端に連設した上蓋部片１４と底蓋部片１５を折目ａ´´において山方向に折曲して、各部片１４，１５の先端の差込部片１４ａ，１５ａを前記方形筒状体内に差し込むようにして用いて前記紙箱Ａを構成するものである。
【００１４】
また、前記蓋部片２は、各側壁構成部片１，１，１，１（１Ａ，１Ｂ，１Ｃ，１Ｄ）に設けたミシン目ｂにおいて構成部片１，１，１，１（１Ａ，１Ｂ，１Ｃ，１Ｄ）より部分的に切離し、折目ｃを谷方向に折曲することによって構成され、ミシン目ｂにおいて切離することによって得られる前記取出口３を開閉するものである。
【図面の簡単な説明】
【００１５】
【図１】斜視図。
【図２】横断面図。
【図３】区画枠の分解斜視図。
【図４】紙箱の展開図。
【符号の説明】
【００１６】
１      側壁構成部片
２      蓋部片
３      取出口
４      収容室
５      区画枠
８      樹脂製
９      芯板
【図１】
0003112150.tif 000003
【図２】
0003112150.tif 000004
【図３】
0003112150.tif 000005
【図４】
0003112150.tif 000006
(57)【要約】【課題】  クッション性を備える中素材が膨張したり収縮したりしたときに側地に皺が生じて疲れを癒す作用が損なわれるという事態の起こりにくいクッションを提供する。真空パックの形に圧縮したりそれを復元させたりした場合でも側地に皺が生じにくいクッションを提供する。【解決手段】  袋状の側地１にクッション性を備える中素材２を装填してなるクッションであって、側地１の材料に、中素材２自体のクッション性によるその中素材２の膨張収縮に追従する伸縮性能を備えた素材を用いる。中素材２にボール状のポリエステル綿素材を好適に用い得る。【選択図】        図２
0003112147.tif 000002
【実用新案登録請求の範囲】
【請求項１】
袋状の側地にクッション性を備える中素材を装填してなるクッションであって、上記側地の材料に、中素材自体のクッション性によるその中素材の膨張収縮に追従する伸縮性能を備えた素材が用いられていることを特徴とするクッション。
【請求項２】
上記中素材にボール状のポリエステル綿素材が含まれている抱き枕でなる請求項１に記載したクッション。
【考案の詳細な説明】
【技術分野】
【０００１】
本考案は、抱き枕などの寝具やその他のクッション具として使用されるクッションに関する。
【背景技術】
【０００２】
従来、この種のクッションは、綿やスポンジなどのクッション性を備える中素材を木綿などで縫製した袋状の側地に装填したものであり、就寝時や身体の疲れを軽減させたいときなどに身体の下に敷いたり腕で抱いたりするなどの様々な形態での使用方法が採られている。
【考案の開示】
【考案が解決しようとする課題】
【０００３】
しかしながら、上記した従来のクッションのように、側地に伸縮性を持たない木綿が用いられていると、そのクッションが身体の重みで圧縮されたような場合に側地が皺になって肌触りが損なわれ、そのために疲れを癒す作用が十分に発揮されないといった問題があった。
【０００４】
また、クッションはその中素材に多くの空気が含まれていて輸送コストが高くつくために、クッションを真空パックの形に圧縮して輸送することにより輸送コストを軽減することが行われている。しかし、側地に木綿を用いたクッションを圧縮して真空パックの形に成形すると、側地の形が中素材の体積の収縮に追従して収縮することがないためにその側地が皺になり、中素材を膨らませてその体積を復元させたときに側地に皺の跡が残って商品価値を低下させるという問題があった。
【０００５】
本考案は以上の問題に鑑みてなされたものであり、クッション性を備える中素材が膨張したり収縮したりしたときに側地に皺が生じて疲れを癒す作用が損なわれるという事態の起こりにくいクッションを提供することを目的とする。
【０００６】
また、本考案は、真空パックの形に圧縮したりそれを復元させたりした場合でも側地に皺が生じにくく、そのために、真空パックの形で輸送しても商品価値が低下しないクッションを提供することを目的とする。
【課題を解決するための手段】
【０００７】
本考案に係るクッションは、袋状の側地にクッション性を備える中素材を装填してなるクッションであって、上記側地の材料に、中素材自体のクッション性によるその中素材の膨張収縮に追従する伸縮性能を備えた素材が用いられている、というものである。
【０００８】
この構成を備えるクッションは、側地が中素材の膨張収縮に追従して伸縮するので、使用中や輸送時に中素材が収縮しても側地が皺を生じずにその中素材と共に収縮する。また、収縮した中素材が膨張して復元しても、側地が皺を生じずにその中素材と共に伸長する。したがって、身体の疲れを癒すための使用中に、側地に生じた皺がその癒し作用を損なうという事態が起こらない。また、圧縮して輸送した後に元の形に復元しても側地に皺の跡が残ることがないので、皺の跡が残ることによる商品価値の低下を来さない。
【０００９】
本考案では、上記中素材にボール状のポリエステル綿素材が含まれている抱き枕でなるという構成を採用することができ、これによれば、ボール状のポリエステル綿素材に特有の形状追従性、すなわちボール状のポリエステル綿素材を圧縮した場合にその圧縮に供した物体の形状に沿う形に変形しながらそのポリエステル綿素材が圧縮されるという性質によって肌触りが良好になって身体の疲れを癒す作用を顕著に期待することができるようになる。また、経年使用によっても膨張時の形状の劣化が少ない。
【考案の効果】
【００１０】
以上のように、本考案に係るクッションは、クッション性を備える中素材が膨張したり収縮したりしたときに側地に皺が生じにくために、側地に生じた皺によって身体の疲れを癒す作用が損なわれないという効果が得られる。また、真空パックの形に圧縮したりそれを復元させたりした場合でも側地に皺が生じにくいために、真空パックの形で輸送しても商品価値が低下しないクッションを提供することが可能になる。
【考案を実施するための最良の形態】
【００１１】
図１は本考案の実施形態に係るクッションＡを例示した外観図、図２は同クッションＡの断面構造を示した説明図である。
【００１２】
このクッションＡの本来の使用目的は抱き枕であり、細長い袋状の側地１にクッション性を備える中素材２を装填してなり、側地１の材料には、中素材２自体のクッション性によるその中素材２の膨張収縮に追従する伸縮性能を備えた素材が用いられている。
【００１３】
この構成であれば、側地１が中素材２の膨張収縮に追従して伸縮するので、使用中や輸送時に中素材が収縮していても側地２が皺を生じずにその中素材２と共に収縮する。また、収縮した中素材２が膨張して復元しても、側地１が皺を生じずにその中素材２と共に伸長する。この抱き枕を抱いて就寝したようなときに、中素材２が膨張収縮を繰り返しても側地２に皺が生じず、そのために身体の疲れを癒す作用が損なわれることはない。また、圧縮して輸送した後に元の形に復元しても側地２に皺の跡が残らず、皺の跡が残ることによる商品価値の低下を来さない。
【００１４】
中素材２は、その全部にボール状のポリエステル綿素材を用いたり、極小ビーズを混ぜたボール状のポリエステル綿素材を用いたりすることが可能であり、そのようにすると、ボール状のポリエステル綿素材に特有の形状追従性、すなわちボール状のポリエステル綿素材を圧縮した場合にその圧縮に供した身体の形状に沿う形に変形しながらそのポリエステル綿素材が圧縮されるという性質によって、肌触りが良好になり、体圧が分散して身体への負担が和らぎ、安心感ややすらぎが得られて身体の疲れを癒す作用が顕著に発揮される。また、このような特性が経年使用によってほとんど損なわれない。
【００１５】
この実施形態では抱き枕を例示したけれども、本考案に係るクッションは、通常の寝具としての枕のほか、背当て用クッションなどに対しても同様に適用することが可能である。
【図面の簡単な説明】
【００１６】
【図１】本考案の実施形態に係るクッションを例示した外観図である。
【図２】クッションの断面構造を示した説明図である。
【符号の説明】
【００１７】
１  側地
２  中素材
【図１】
0003112147.tif 000003
【図２】
0003112147.tif 000004
(57)【要約】      （修正有）【課題】油揆ねを防止するため、ガード本体に袋を設け、作業性の簡便さも併せた油揆ねガードを提供する。【解決手段】本考案は、ガード本体１に袋２を設け、その袋部分に手指を差しこんで親指で袋部分をはさんで持つだけで取り扱いが、簡便に出来るようにした。【選択図】図３
0003112120.tif 000002
【実用新案登録請求の範囲】
【請求項１】
透明なビニール製の、端部丸みのある長方形のガード本体の中央下部に、手指を入れるふくらみのある袋２を設け、その袋部分３を持つようにして成る油揆ねガード。
【考案の詳細な説明】
【技術分野】
【０００１】  本考案は、料理の際の油揚げ物による油揆ねを、防止するため透明なガードで可視出来るよう、又ガード本体に袋部分を設け掌をさし込んで作業性を保つよう配慮した考案である。
【背景技術】
【０００２】  天プラや他の揚げ物を行う際、この考案によって従来防止に配慮が無かった顔や手の被災から守れるように考えた。
【考案の開示】
【考案が解決しようとする課題】
【０００３】  揚げ物の危険防止と手の自由な作業性の確保。
【課題を解決するための手段】
【０００４】  鍋等の対称物を可視出来るよう、透明なビニール製の端部丸みのある長方形のものの中央下部に、袋を設け指先きを保持出来るように造ったもので、揚げ物の際の被災を避ける考案品である。
【考案の効果】
【０００５】  従来腕カバーなどがあったが、この考案は袋部分３を指で挟んで持つだけで軽便に取り扱かえ、その上顔面と指先き手の被災の防止に益することが出来る。
【考案を実施するための最良の形態】
【０００６】  この考案品は、充分鍋の中の状態を可視出来る透明度を、曇る等の難点のないことが、必要であり、さらに腰折れのないよう周りの堅固さが、保たれ、尚不燃性の製品である必要がある。
【実施例】
【０００７】  １は油揆ねガード本体で可視可能なビニール製品である。尚不燃性であることが必要である。２は本体中央下部に手を差し込める同素材の袋を設ける。袋は３の空き部分以外の３辺を本体に接着して袋とする。袋部分の３は左手又は右手（左きき）を袋に入れて、外の親指とで挟み、ガードを保持するための空き部分である。油揆ねガードの不要時のため、フックに掛けるよう上部に開孔４を設ける。図２はガードの断面図であるが、袋部分３に向けて指先きを入れるだけのゆとりを持たせている。その使用状態を図３に示している。
【産業上の利用可能性】
【０００】
【０００８】  製作が比較的簡単だと思われるため、一般家庭向きに活用され易いと思われる。
【図面の簡単な説明】
【０００９】
【図１】  本考案の実施例を示す正面図である。
【図２】  本考案の断面図である。
【図３】  本考案の使用状態を示す図である。
【符号の説明】
【００１０】１  ガード本体
２  袋
３  袋空き部分
４  フック掛け孔
【図１】
0003112120.tif 000003
【図２】
0003112120.tif 000004
【図３】
0003112120.tif 000005